【事件の表示】
　特願２００６−　　３０６５「眼底観察装置」拒絶査定不服審判事件〔平成１９年　７月１９日出願公開，特開２００７−１８１６３１〕について，次のとおり審決する。
【結　論】
　本件審判の請求は，成り立たない。
【理　由】
第１　手続の経緯 
　本願は，平成１８年１月１０日を出願日とする出願であって，平成２３年５月２７日付けで拒絶理由が通知され，同年７月２８日付けで手続補正がなされ，同年１２月９日付けで最後の拒絶理由が通知され，平成２４年２月２日付けで手続補正がなされ，同年７月１２日付けで補正却下の決定がなされ，同日付で拒絶査定がなされ，同年１０月２３日に拒絶査定不服審判の請求がなされるとともに，同日付けにて手続補正（以下，「本件補正」という。）がなされたものである。
　さらに，平成２５年８月６日付けで審尋がなされ，回答書が同年９月１１日付けで請求人より提出されたものである。
　
第２　本願発明
　本件補正により，補正前の特許請求の範囲の請求項２〜８が削除され，請求項１のみとなった。
　したがって，本件補正は，平成１８年法律第５５号改正附則第３条第１項によりなお従前の例によるとされる同法による改正前（以下，「平成１８年法改正前」という。）の特許法第１７条の２第４項第１号の請求項の削除を目的とするものに該当する。
　
　補正後の特許請求の範囲の請求項１は，補正前の特許請求の範囲の請求項１と同じ，
「　　【請求項１】
　被検眼の眼底に照明光を照射する照明光学系と，前記眼底を経由した照明光を第１の検出手段により検出する撮影光学系とを有し，該第１の検出手段による検出結果に基づいて前記眼底の表面の２次元画像を形成する第１の画像形成手段と，
　前記照明光とは異なる波長の光を出力する光源と，該光源から出力された前記光を前記眼底に向かう信号光と参照物体に向かう参照光とに分割し，前記眼底を経由した信号光と前記参照物体を経由した参照光とを重畳させて干渉光を生成する干渉光生成手段と，該生成された干渉光を検出する第２の検出手段とを有し，該第２の検出手段による検出結果に基づきフーリエドメインＯＣＴの手法を用いて前記眼底の断層画像を形成する第２の画像形成手段と，
　前記撮影光学系により形成される撮影光路と前記眼底に向かう信号光の光路とを合成するとともに，前記撮影光路と前記眼底を経由した信号光の光路とを分離する光路合成分離手段と，
　固視標を表示する手段を含み，該表示された固視標を前記眼底に投影する手段と，
　を備え，
　前記撮影光路に前記合成された前記信号光は，前記撮影光路を介して前記眼底に照射され，
　前記撮影光路から前記分離された前記信号光は，前記干渉光生成手段により前記参照光と前記重畳され，
　前記第２の画像形成手段は，
　前記光路合成分離手段よりも前記第２の検出手段側に設けられ，前記固視標が投影された前記眼底上において前記信号光を主走査方向及びこれに直交する副走査方向に走査する一対のガルバノミラーを有し，
　前記第１の画像形成手段による前記２次元画像の形成と同時に行われる前記主走査方向及び前記副走査方向の走査に基づいて複数の前記断層画像を形成し，該複数の断層画像に基づいて３次元画像を形成する，
　ことを特徴とする眼底観察装置。」（以下，「本願発明」という。）
である。　 
　
第３　引用刊行物記載の発明 （下線は当審で付与した。）
（１）本願出願前に頒布され，原査定の拒絶の理由に引用された刊行物である特開平１０−３３４８４号号公報（以下「刊行物１」という。）には，「眼科装置」について，図面とともに次の事項が記載されている。 
（１−ア）「【０００１】
【発明の属する技術分野】本発明は眼科装置に係わり，特に，測定対象眼内の測定対象部分の断面画像信号を形成するための眼科装置に関するものである。
　【０００２】
【従来の技術】従来，生体眼内の測定対象物の断面画像を得る技術は，可干渉距離が短い光源の光を採用しており，この光源を測定光束と参照光束とに分離し， 測定光束をスポット光として測定対象部分に照射する一方，参照光束の光路長を変化させる様に構成されている。
【０００３】そして，反射されて戻ってくる参照光束と測定光束とを合成して干渉信号を形成し，参照光路に設けられた反射ミラーを移動した際の干渉信号から測定対象部分の断面画像を得る様になっている。
【０００４】更に本出願人より，眼底カメラにこの種の干渉装置を組み込んだ装置に関する出願もなされている。（特開平８−３８４２２号）
【０００５】
【発明が解決しようとする課題】しかしながら上記従来の装置においては，光学配置が制約される上，本格的な眼底カメラに簡便に装着することができないという問題点があった。
【０００６】更に，小型化が困難な上，撮影像に各種の悪影響が生じるという問題点があった。」
　
（１−イ）「【００１１】「原理」
【００１２】ここで，本発明に応用される干渉技術の原理を説明する。
【００１３】図７に示す様に，光干渉測定用光学ユニット１００００は，光源１０００と，参照ミラー２０００と，分波器３０００と，受光器４０００と，光ファイバー５０００とから構成されている。
【００１４】光ファイバー５０００は，光源
１０００から光を導くための第１のファイバー５１００と，
【００１５】光源１０００は，
コヒーレンス長の短い２０ｎｍ以下程度，例えば８４０ｎｍの光源
【００１６】分波器３０００は，第１のファイバー５１００からの光を参照用光ファイバー５３００と測定用光ファイバー５２００とに分岐するためのものである。なお，分波器３０００は，光束分岐手段に該当するものである。
【００１７】また，分波器３０００は，測定対象物２００００から反射され測定用光ファイバー５２００により導かれた光と，参照ミラー２０００から反射され参照用光ファイバー５３００に導かれた光とを合成して，検出用光ファイバー５４００に導く機能も有している。
【００１８】分波器３０００と参照ミラー２０００までの光路長が，分波器３０００から測定対象物２００００である眼の眼底部までの光路長と基本的に等しくなる様に，参照ミラー２０００が移動制御される。なお参照ミラー２０００は，参照反射鏡に該当するものである。
【００１９】なお，測定対象物２００００である眼の眼底部と測定用光ファイバー５２００の出射端面とが，幾何光学的に共役の位置になる様に構成されている。
【００２０】そして，測定用光ファイバー５２００による測定反射光束と，参照用光ファイバー５３００の参照反射光束とは合成して干渉され，受光器４０００に導かれる様になっている。」
　
（１−ウ）「【００３９】次に，光干渉測定用光学ユニット１００００と，眼底カメラ３００００の光学系との関連を詳細に説明する。
【００４０】「
第１実施例の眼底カメラの光学系３００００Ａ
　
（１−エ）　「【００５３】また，
被検眼の視線を定めるための固視標９６０からの光束は，第２のダイクロイックミラー９２０を透過し，第１のダイクロイックミラー９１０により反射され，被検眼に向け投影する様に構成されている。
【００５４】以上の様に構成された本第１実施例の眼底カメラの光学系３００００Ａは，跳ね上げミラー４００により，撮影光源５００及び観察光源６００と，光干渉測定用光学ユニット１００００との光路を光波分割することができる。更に，波長選択性素子２００により，眼底カメラの撮影光路と，光干渉測定用光学ユニット１００００の光路とを光波分割可能に構成されている。
【００５５】そして，測定対象物２００００である眼の眼底部と，光干渉測定用光学ユニット１００００の測定用光ファイバー５２００の出射端面とが，共役な位置に配置されている。
【００５６】また，参照ミラー２０００と参照用光ファイバー５３００とで形成された参照光路は，第１実施例の眼底カメラの光学系３００００Ａの光路長を考慮して定められる。
【００５７】ここで，光干渉測定用光学ユニット１００００の
測定用光ファイバー５２００は
走査制御部６６００により一次元或いは二次元的に移動走査される
眼底上で測定用光束は移動し，各測定点で干渉測定が行われ，
眼底部の一次元或いは二次元的な断面像を得ることができる。
　
（１−オ）「【００６６】「
第３実施例の眼底カメラの光学系３００００Ｃ
【００６７】第３実施例の眼底カメラの光学系３００００Ｃの基本構成を図４に基づいて説明する。第１実施例の
眼底カメラの光学系３００００Ｃは，対物レンズ１００と，孔あきミラー２００’と，リレーレンズ３００と，撮影光源５００と，観察光源６００と，合焦レンズ７００と，結像レンズ８００と，ダイクロイックミラー９００と，撮像手段９５０とから構成されている。
【００６８】ダイクロイックミラー９００は，第１のダイクロイックミラー９１０と，第２のダイクロイックミラー９２０とからなり，第１のダイクロイックミラー９１０は，８００ｎｍ近傍の近赤外光及び８４０ｎｍ近傍の赤外光を反射し，可視光を透過させる特性を有している。そして第２のダイクロイックミラー９２０は，８４０ｎｍ近傍の波長を反射し，８００ｎｍ近傍の近赤外光を透過させるものである。
【００６９】
第１のダイクロイックミラー９１０を透過した可視光は，写真フィルム９５１上に結像する様になっている。更に第１のダイクロイックミラー９１０で反射された８００ｎｍ近傍の波長の光は，第２のダイクロイックミラー９２０に入射される。第２のダイクロイックミラー９２０は，８４０ｎｍ近傍の波長を反射させ，光ファイバー９２１を介して，光干渉測定用光学ユニット１００００の測定用光ファイバー５２００に至る様に構成されている。
【００７０】
第２のダイクロイックミラー９２０を透過した８００ｎｍ近傍の近赤外光は，赤外感度のＣＣＤセンサー９５４上に結像される。
【００７１】そしてＣＣＤセンサー９５４で得られた眼底画像信号は，モニター装置９５２でモニターすることができる。
【００７２】なお，ダイクロイックミラー９００は，波長選択反射部材に該当するものである。
【００７３】以上の様に構成された
第３実施例の眼底カメラの光学系３００００Ｃは，従来からの眼底カメラの光学系をそのまま利用することができる
【００７４】なお，第２のダイクロイックミラー９２０に代えて，跳ね上げミラーを採用することもでき，この跳ね上げミラーは，観察光源６００からの光を逃がし，撮影光源５００の光を取り込む様に構成されている。
【００７５】
その他の第３実施例の構成，作用等は，上述の第１実施例及び第２実施例と同様であるから，説明を省略する
　
　上記（１−イ）〜（１−オ）の記載と図１〜７を参照すると，上記引用刊行物１には，
「対物レンズ１００と，孔あきミラー２００’と，リレーレンズ３００と，撮影光源５００と，観察光源６００と，合焦レンズ７００と，結像レンズ８００と，ダイクロイックミラー９００と，撮像手段９５０とから構成されている眼底カメラの光学系３００００Ｃを備え，
  第１のダイクロイックミラー９１０で反射された８００ｎｍ近傍の波長の光は，第２のダイクロイックミラー９２０に入射され，第２のダイクロイックミラー９２０を透過した８００ｎｍ近傍の近赤外光は，赤外感度のＣＣＤセンサー９５４上に結像され，そしてＣＣＤセンサー９５４で得られた眼底画像信号は，モニター装置９５２でモニターすることができ，
コヒーレンス長の短い２０ｎｍ以下程度，例えば８４０ｎｍの光源１０００から光を導くための第１のファイバー５１００と，
第１のファイバー５１００からの光を参照用光ファイバー５３００と測定用光ファイバー５２００とに分岐するためのものであり，測定対象物２００００から反射され測定用光ファイバー５２００により導かれた光と，参照ミラー２０００から反射され参照用光ファイバー５３００に導かれた光とを合成して，検出用光ファイバー５４００に導く機能も有している分波器３０００とを備え，
そして，測定用光ファイバー５２００による測定反射光束と，参照用光ファイバー５３００の参照反射光束とは合成して干渉され，受光器４０００に導かれ，
第２のダイクロイックミラー９２０は，８４０ｎｍ近傍の波長を反射させ，光ファイバー９２１を介して，光干渉測定用光学ユニット１００００の測定用光ファイバー５２００に至る様に構成されており，
測定用光ファイバー５２００は，走査制御部６６００により一次元或いは二次元的に移動走査され，眼底上で測定用光束は移動し，各測定点で干渉測定が行われ，
測定対象眼内の測定対象部分の断面画像信号を形成し，眼底部の一次元或いは二次元的な断面像を得る眼底カメラ。」の発明（以下，「引用発明」という。）が記載されていると認める。 
　
（２）本願出願前に頒布され，原査定の拒絶の理由に引用された刊行物である国際公開２００５／０４０７１８号公報（以下「刊行物２」という。）には，「スペクトル干渉法及びスペクトル干渉装置」について，図面とともに次の事項が記載されている。（刊行物１のパテントファミリーである特表２００７−５０８５５８号公報を翻訳文として用い，刊行物２の記載を省略している。） 
（２−ア）「【０００３】
  
チャネルドスペクトル法は，
そのようなプロファイルはＯＣＴにおけるＡスキャンと呼ばれており，それは，すなわち深さ方向の反射率のプロファイルである。
　
（２−イ）「【００５９】
  物体光学系は走査素子を備えることができ，走査素子は目標物体を走査するように構成される。走査素子は，直線走査，ラスタ走査，螺旋走査，円形走査又は任意の他のランダムな形状の走査のうちのいずれか１つ，又はそれらの組み合わせを実行するように構成することができる。
【００６０】
  走査素子を用いて，物体の内部から，ミラー項の無い断面画像を得ることができる。
種々の横断位置において断面の取得を繰り返すことにより，物体内部からのいくつかの断面を取得することができ，その後，ソフトウエア手段によって，その断面を用いて，ミラー項の無い物体の３Ｄボリュームが再構成される。
　
（２ーウ）「【０１０２】
  図３は，本発明の第１の実施形態による
スペクトル干渉装置１００を示す。装置１００は，ＯＰＤを選択することができ，白色光干渉計に基づいて明確なＡスキャンを生成することができる。
　
（２−エ）「【０１３０】
  走査用光学系１２を介して，
横断するように目標物体５５にわたって物体ビーム４１を走査するためにＸＹスキャナヘッド１０が設けられる。
図５には目の網膜が示されており，
横断面内の点（Ｘ，Ｙ）毎に，図３の実施形態と同じ構成要素を用いて，その装置によってＡスキャンが生成される。
　
（２−オ）図５には，光路合成分離手段よりも検出手段側に設けられた，信号光を主走査方向及びこれに直交する副走査方向に走査する手段が記載されている。
　
第４　対比・判断 
　本願発明と引用発明とを対比する。
ア　引用発明の「対物レンズ１００と，孔あきミラー２００’と，リレーレンズ３００と，撮影光源５００と，観察光源６００」および「対物レンズ１００と，孔あきミラー２００’と合焦レンズ７００と，結像レンズ８００と，ダイクロイックミラー９００と，撮像手段９５０」は，それぞれ本願発明の「照明光学系」および「撮影光学系」に相当することは明らかである。
　
イ　引用発明の「撮像手段９５０」は「第１のダイクロイックミラー９１０で反射された８００ｎｍ近傍の波長の光は，第２のダイクロイックミラー９２０に入射され，第２のダイクロイックミラー９２０を透過した８００ｎｍ近傍の近赤外光は，赤外感度のＣＣＤセンサー９５４上に結像され，そしてＣＣＤセンサー９５４で得られた眼底画像信号は，モニター装置９５２でモニターすることができ」るから，本願発明の「第１の画像形成手段」に相当する。
　
ウ　引用発明の「例えば８４０ｎｍの光源１０００」および「受光器４０００」は，本願発明の「前記照明光とは異なる波長の光を出力する光源」および「第２の検出手段」に相当する。
　
エ　引用発明の「分波器３０００」は「第１のファイバー５１００からの光を参照用光ファイバー５３００と測定用光ファイバー５２００とに分岐するためのものであり，測定対象物２００００から反射され測定用光ファイバー５２００により導かれた光と，参照ミラー２０００から反射され参照用光ファイバー５３００に導かれた光とを合成して，検出用光ファイバー５４００に導く機能も有し」ているのであるから，本願発明の「干渉光生成手段」に相当する。
　
オ　引用発明は「第２のダイクロイックミラー９２０を透過した８００ｎｍ近傍の近赤外光は，赤外感度のＣＣＤセンサー９５４上に結像され」，「第２のダイクロイックミラー９２０は，８４０ｎｍ近傍の波長を反射させ，光ファイバー９２１を介して，光干渉測定用光学ユニット１００００の測定用光ファイバー５２００に至る様に構成されている」のであるから，引用発明の「第２のダイクロイックミラー９２０」は，本願発明の「光路合成分離手段」に相当する。
　
カ　（１−エ）に「被検眼の視線を定めるための固視標９６０からの光束は，第２のダイクロイックミラー９２０を透過し，第１のダイクロイックミラー９１０により反射され，被検眼に向け投影する様に構成されている。」と第１実施例で固視標９６０を表示する手段が記載され，（１−オ）には「その他の第３実施例の構成，作用等は，上述の第１実施例及び第２実施例と同様である」と記載され，引用発明も固視標を表示する手段を有しているといえる。
　
キ　本願明細書には「【００７３】〔ＯＣＴユニットの構成〕  ・・・ＯＣＴユニット１５０は・・・光源から出力された光を参照光と信号光とに分割し，参照物体を経由した参照光と被測定物体（眼底Ｅｆ）を経由した信号光とを重畳して干渉光を生成する干渉計を具備するとともに，この干渉光の検出結果を解析して被測定物体（眼底Ｅｆ）の画像を形成するように構成されている。」と記載されており，引用発明も「第１のファイバー５１００からの光を参照用光ファイバー５３００と測定用光ファイバー５２００とに分岐するためのものであり，測定対象物２００００から反射され測定用光ファイバー５２００により導かれた光と，参照ミラー２０００から反射され参照用光ファイバー５３００に導かれた光とを合成して，検出用光ファイバー５４００に導く機能も有している分波器３０００とを備え，
そして，測定用光ファイバー５２００による測定反射光束と，参照用光ファイバー５３００の参照反射光束とは合成して干渉され，受光器４０００に導かれ」，「測定対象眼内の測定対象部分の断面画像信号を形成」する構成を備えているので，引用発明と本願発明とは「ＯＣＴの手法」を用いている点で共通する。
　そうすると，
引用発明の「測定用光ファイバー５２００は，走査制御部６６００により一次元或いは二次元的に移動走査され，眼底上で測定用光束は移動し，各測定点で干渉測定が行われ，
測定対象眼内の測定対象部分の断面画像信号を形成し，眼底部の一次元或いは二次元的な断面像を得る」と
本願発明の「フーリエドメインＯＣＴの手法を用いて前記眼底の断層画像を形成する第２の画像形成手段と」を備え，「前記光路合成分離手段よりも前記第２の検出手段側に設けられ，前記固視標が投影された前記眼底上において前記信号光を主走査方向及びこれに直交する副走査方向に走査する一対のガルバノミラーを有し，
　前記第１の画像形成手段による前記２次元画像の形成と同時に行われる前記主走査方向及び前記副走査方向の走査に基づいて複数の前記断層画像を形成し，該複数の断層画像に基づいて３次元画像を形成する，」とは
「ＯＣＴの手法を用いて前記眼底の断層画像を形成する第２の画像形成手段と前記固視標が投影された前記眼底上において前記信号光を主走査方向に走査する手段を備え，
　前記第１の画像形成手段による前記２次元画像の形成と同時に行われる前記主走査方向の走査に基づいて前記断層画像を形成する」点で共通する。
　
　そうすると，本願発明と引用発明とは， 
「被検眼の眼底に照明光を照射する照明光学系と，前記眼底を経由した照明光を第１の検出手段により検出する撮影光学系とを有し，該第１の検出手段による検出結果に基づいて前記眼底の表面の２次元画像を形成する第１の画像形成手段と，
　前記照明光とは異なる波長の光を出力する光源と，該光源から出力された前記光を前記眼底に向かう信号光と参照物体に向かう参照光とに分割し，前記眼底を経由した信号光と前記参照物体を経由した参照光とを重畳させて干渉光を生成する干渉光生成手段と，該生成された干渉光を検出する第２の検出手段とを有し，該第２の検出手段による検出結果に基づきＯＣＴの手法を用いて前記眼底の断層画像を形成する第２の画像形成手段と，
　前記撮影光学系により形成される撮影光路と前記眼底に向かう信号光の光路とを合成するとともに，前記撮影光路と前記眼底を経由した信号光の光路とを分離する光路合成分離手段と，
　固視標を表示する手段を含み，該表示された固視標を前記眼底に投影する手段と，
　を備え，
前記撮影光路に前記合成された前記信号光は，前記撮影光路を介して前記眼底に照射され，
　前記撮影光路から前記分離された前記信号光は，前記干渉光生成手段により前記参照光と前記重畳され，
　前記第２の画像形成手段は，
前記固視標が投影された前記眼底上において前記信号光を主走査方向に走査する手段を備え，
　前記第１の画像形成手段による前記２次元画像の形成と同時に行われる前記主走査方向の走査に基づいて前記断層画像を形成する眼底観察装置。」である点で一致し，次の点で相違している。 　
　
（相違点）
　ＯＣＴの手法について，本願発明では，フーリエドメインＯＣＴの手法であり，
前記光路合成分離手段よりも前記第２の検出手段側に設けられ，前記信号光を主走査方向及びこれに直交する副走査方向に走査する一対のガルバノミラーを有し，
　主走査方向及び前記副走査方向の走査に基づいて複数の前記断層画像を形成し，該複数の断層画像に基づいて３次元画像を形成する，のに対して，
引用発明は，タイムドメインＯＣＴの手法であり，
前記固視標が投影された前記眼底上において前記信号光を一次元或いは二次元的に移動走査する手段を有し，
　前記第１の画像形成手段による前記２次元画像の形成と同時に行われる前記一次元或いは二次元的な移動走査に基づいて前記断層画像を形成するが３次元画像は形成しない点。
　
（１）相違点についての検討
　上記（２−ア）には「 チャネルドスペクトル法は，・・・そのようなプロファイルはＯＣＴにおけるＡスキャンと呼ばれており，それは，すなわち深さ方向の反射率のプロファイルである。」と記載され，（２−ウ）には「図３は，本発明の第１の実施形態によるスペクトル干渉装置１００を示す。装置１００は，ＯＰＤを選択することができ，白色光干渉計に基づいて明確なＡスキャンを生成することができる。」と記載されている。
　したがって，「フーリエドメインＯＣＴ」について引用文献２に記載されている。
　また，（２−イ）には「種々の横断位置において断面の取得を繰り返すことにより，物体内部からのいくつかの断面を取得することができ，その後，ソフトウエア手段によって，その断面を用いて，ミラー項の無い物体の３Ｄボリュームが再構成される」と記載されている。
　したがって，「主走査方向及び前記副走査方向の走査に基づいて複数の前記断層画像を形成し，該複数の断層画像に基づいて３次元画像を形成する」点も引用文献２に記載されている。
　また，上記（２−エ）には「横断するように目標物体５５にわたって物体ビーム４１を走査するためにＸＹスキャナヘッド１０が設けられる。・・・図５には目の網膜が示されており，・・・横断面内の点（Ｘ，Ｙ）毎に，図３の実施形態と同じ構成要素を用いて，その装置によってＡスキャンが生成される。」と記載され，また，（２−オ）には「図５には，光路合成分離手段よりも検出手段側に設けられた，信号光を主走査方向及びこれに直交する副走査方向に走査する手段」が記載されている。
　したがって，「主走査方向及び前記副走査方向の走査を行うＸＹスキャナヘッド」も引用文献２に記載されている。
　そして，ＸＹスキャナヘッドとして一対のガルバノミラーを有する構成は，例えば，特開２００５−３００６５５号公報，特開２００３−１８５９２７号公報に記載されているように常套手段である。
　そして，タイムドメインＯＣＴが技術の進展によって，フーリエドメインＯＣＴに発展し，３次元画像の作成が可能になったのであるから，タイムドメインＯＣＴをフーリエドメインＯＣＴに置き換え，３次元画像の作成をすることは，当業者であれば十分動機づけがあり，何ら困難性がない。
　してみると，引用発明に，上記引用刊行物２に記載の技術を適用し，ＸＹスキャナヘッドとして一対のガルバノミラーを有する常套手段を採用し，相違点における本願発明の構成とすることは，当業者が容易に想到するものといえる。
　
　そして，本願発明の作用効果は，引用刊行物１，２に記載の技術，および常套手段から当業者が予測し得る範囲内のものにすぎない。
　
　したがって，本願発明は，引用発明，引用刊行物２に記載の技術，および常套手段に基づき当業者が容易に発明をすることができたものである。
　
第５　むすび 
　以上のとおり，本願発明は，引用発明，引用刊行物２に記載の技術，および常套手段に基づいて当業者が容易に発明をすることができたものであるから，特許法第２９条第２項の規定により特許を受けることができない。
　したがって，本願は拒絶されるべきものである。　 
　よって，結論のとおり審決する。